(57)【要約】【課題】  本発明が解決するべき課題は、それゆえに解決法を提供することであり、その解決法では、移動式端末内部の個々の装置への通信とその装置間の通信の両方またはそのいずれかが促進される。【解決手段】  非接触チップセット・インターフェース（４）が移動式機器システム（２）と少なくとも１つのユーザー識別モジュール（３）の間の通信チャネル（５）の間に置かれることを特徴とする移動式機器システム（２）および少なくとも１つのユーザー識別モジュール（３）を備える携帯通信ネットワークのための移動式端末である。【選択図】  図１
2008252890.tif 000002
【特許請求の範囲】
【請求項１】
非接触チップセット・インターフェース（４）が移動式機器システム（２）と少なくとも１つのユーザー識別モジュール（３）との間の通信チャネル（５）の間に置かれることを特徴とする、移動式機器システム（２）および少なくとも１つのユーザー識別モジュール（３）を備える携帯通信ネットワークのための移動式端末。
【請求項２】
非接触チップセット・インターフェース（４）は、移動式端末（１）内部の内部チップセット（４１）およびなるべくなら短距離通信経由で移動式端末（１）内部の前記内部チップセット（４１）に少なくとも一時的に接続される非接触カード、タグまたは非接触読み取り装置であることが望ましく、少なくとも１つの外部装置（４２）を備える請求項１に記載の移動式端末。
【請求項３】
非接触チップセット・インターフェース（４）経由の移動式機器システム（２）と前記ユーザー識別モジュール（３）との間の通信チャネル（５）は、ピア・トゥ・ピア通信チャネルである請求項１または２に記載の移動式端末。
【請求項４】
非接触チップセット・インターフェース（４）は、信号を受信次第、移動式機器システム（２）と少なくとも１つのユーザー識別モジュール（３）の両方またはそのいずれかに、通信チャネル（５２，５１）を確立することを特徴とする、少なくとも１つの移動式機器システム（３）および少なくとも１つのユーザー識別モジュール（２）を備える携帯通信ネットワークの移動式端末（１）を操作するための方法。
【請求項５】
移動式端末（１）の追加的装置（３、２）に配信されることを目的とする移動式端末（１）の装置（２、３）からの信号は、それぞれの目的とする受信装置（３、２）への伝送のための非接触チップセット・インターフェース（４）で受信される請求項４に記載の移動式端末（１）を操作するための方法。
【請求項６】
非接触チップセット・インターフェース（４）の内部チップセット（４１）は、移動式端末（１）の追加的装置（３、２）に配信されることを目的とする移動式端末（１）の装置（２、３）からの信号を受信次第、移動式端末（１）の内部チップセット（４１）との短距離通信において非接触チップセット・インターフェース（４）の外部装置（４２）の可用性を検査する請求項４または５のいずれかに記載の移動式端末（１）を操作するための方法。
【請求項７】
外部装置（４２）を探知次第、内部チップセット（４１）は、外部装置（４２）経由で移動式端末（１）内部の装置（２、３）から受信される信号を指示する請求項６に記載の移動式端末（１）を操作するための方法。
【請求項８】
非接触チップセット・インターフェース（４）で受信される信号の移動式端末（１）内部の目的とする受信装置（２、３）への伝送は、装置（４２）から入手可能な情報に依存している請求項７に記載の移動式端末（１）を操作するための方法。
【請求項９】
非接触チップセット・インターフェース（４）は、移動式端末（１）の外にあるデータソース（６）に少なくとも一時的に接続される請求項４から８のいずれかに記載の移動式端末（１）を操作するための方法。
【請求項１０】
データソース（６）から受信されるデータ信号は、非接触チップセット・インターフェース（４）経由でユーザー識別モジュール（３）および移動式機器システム（２）に配布されている請求項９に記載の移動式端末（１）を操作するための方法。
【請求項１１】
データソース（６）は、非接触チップセット・インターフェース（４）の外部装置（４２）を介して入手可能である請求項９および１０に記載の移動式端末（１）を操作するための方法。
【発明の詳細な説明】
【技術分野】
【０００１】
本発明は、移動式端末および移動式端末を操作するための方法に関する。
【背景技術】
【０００２】
普及している移動式端末は、移動式機器システムまたは機能（ＭＥ）からアクセスされる加入者識別モジュール（ＳＩＭ）カードまたはその他の汎用ＩＣカードなどのユーザー識別モジュールを通例装備している。ユーザー識別モジュールと移動式機器システムの間の通信またはデータのやりとりは、移動式端末のオペレーティング・システムまたは現在移動式端末で使用されるアプリケーションの実行環境によって、主に管理される。例えば、Ｊ２ＭＥ（Ｊａｖａ2マイクロ・エディション）環境においては、Ｊａｖａ仕様要求ＪＳＲ１７７を使用することができる。さらに、シンビアン社またはＷｉｎｄｏｗｓ携帯オペレーティング・システムは、異なるＡＰＩ（アプリケーション・プログラミング・インターフェース）を使用する。既知の移動式端末におけるユーザー識別モジュールと移動式機器システムの間の通信は、現存するスマートカード基準ＩＳＯ  ７８１６インターフェースに基づいている。このインターフェースは、これら２つの装置間にマスタースレーブ通信を強制して、その点では移動式機器システムは、マスターとしての役割を果たしている。
【０００３】
ＤＥ  １０１  ５９  ３９８Ａ１に記載のとおり、例えば確保されたデータがユーザー識別モジュールに記憶され、移動式機器システムに記憶されるキーを使用することによって復号（decode）されるか、あるいはその逆であることができるので、移動式端末内部の機能性の分割は役立つことができる。移動式端末および２つの装置間で使用される通信の分割された構造は、しかしながら、いくつかの重大な障害を結果的にもたらす。
【０００４】
マスタースレーブ通信への通信の制約に加えて、さらに個々の装置、すなわち移動式機器システムおよびユーザー識別モジュールへのデータまたは信号の提供は困難である。移動式端末の分割モバイルアプリケーションを実行および展開するためには、２つの装置へのデータまたは信号の当該提供が必要である。この場合、ローカルでもリモートでも、２つの異なるチャネルが、アプリケーションの一部分を移動式機器システムに、もう一方の部分をユーザー識別モジュールに伝送するために提供されなくてはならない。加えて、これらの伝送チャネルが異なるサーバーによって普通管理されるので、分割アプリケーションの実行および展開は、厄介でエラーが発生しやすい管理解決法が必要である。
【発明の開示】
【発明が解決しようとする課題】
【０００５】
本発明が解決するべき課題は、それゆえに解決法を提供することであり、その解決法では、移動式端末内部の個々の装置への通信とその装置間の通信の両方またはそのいずれかが促進される。
【課題を解決するための手段】
【０００６】
本発明は、この課題が２つの装置にインターフェースを提供することによって解決することができるという発見に基づいており、そのことは、その装置のいずれかに、また他の外部要素に、共通の通信チャネルを提供する。
【０００７】
第一の態様によれば、本発明は、移動式機器システムおよび少なくとも１つのユーザー識別モジュールを備える携帯通信ネットワークのための移動式端末に関する。移動式端末は、非接触チップセット・インターフェースが、移動式機器システムと少なくとも１つのユーザー識別モジュールの間の通信チャネルに置かれることを特徴とする。
【０００８】
移動式機器システムとユーザー識別モジュールの間に非接触チップセット・インターフェースを置くことによって、装置の相互関係と無関係な通信が実現される。従って、移動式機器システムおよびユーザー識別モジュールの間の一般的に知られている通信のプロトコルとは異なる通信プロトコルを確立することができる。そのために、通信チャネル内部の装置の割り当て機能の柔軟性が増加される。特に、移動式機器システムとユーザー識別モジュールの間のマスタースレーブ関係は、強制的なものではない。
【０００９】
移動式端末とは、具体的には携帯電話である。移動式機器システムは、オペレーティング・システムの実行のためと、データの記憶のための両方またはそのいずれかのための移動式端末内部の装置または機能である。ユーザー識別モジュールは、加入者識別モジュール（ＳＩＭ）カードまたはその他の汎用ＩＣカード（ＵＩＣＣ）であることができる。非接触チップセット・インターフェースは、できれば、外部装置のある近接場通信（ＮＦＣ）などの短距離通信システム経由の通信のための移動式端末内部に少なくとも部分的に備えつけられる装置であることが望ましい。非接触チップセット・インターフェース、特に移動式端末内部に備えつけられる装置は、ＮＦＣシステムのタグ／カードであることができるか、またはＮＦＣシステムの読み取り装置であることができる。いずれの場合にも、非接触チップセット・インターフェースは、ユーザー識別モジュールおよび移動式機器システムと通信する手段が備えつけられる。これらの手段は、無線通信経由で受信される信号を移動式端末内部での伝送のためのフォーマットへの変換のための装置を特に備えることができる。さらにユーザー識別モジュールから移動式機器システムへ、およびその逆への信号の伝送のための装置は、非接触チップセット・インターフェース内部に備えつけられる。これらの装置は、少なくとも部分的にソフトウェアであることができる。ユーザー識別モジュールと非接触チップセット・インターフェースの間、および移動式機器システムと非接触チップセット・インターフェースの間の通信チャネルは、信号、特にデータまたは情報信号の伝送に役立つ。それらの信号は、いずれかの方向、すなわち非接触チップセット・インターフェースへ、または非接触チップセット・インターフェースから伝送されることができる。本発明による信号は、移動式端末またはユーザー識別モジュール上のアプリケーションによって出されるコールまたは要求を備える。加えるに、またはその代わりに、信号は、アプリケーションまたは他の内容と情報の両方またはそのいずれかなどのデータを伝送するデータ信号を備えることができる。情報は、アプリケーションのための入力データ、例えばＤＲＭ（デジタル著作権管理）手段（policy）、ロケーションベースの手段などの通信手段のためのパラメーター値であることができる。
通信は、１つの装置から少なくとも１つの他の装置への信号の伝送と呼ばれる。以下、通信中の信号の経路はまた、通信チャネルと呼ばれる。
【００１０】
移動式端末内部に改良された通信チャネルを備えつけることによって、移動式機器システムとユーザー識別モジュールの間の通信またはデータ伝送を容易にする。特に、移動式機器システムおよびユーザー識別モジュールの両方の装置上に部分的に記憶または実行されるアプリケーションは、間に置かれる非接触チップセット・インターフェースによって、簡易化した方法で実行することができる。
【００１１】
非接触チップセット・インターフェースは、移動式端末、すなわち内部のチップセット内部の装置のみからなることができる。この場合、移動式端末内部の装置間の通信のみが、非接触チップセット・インターフェース経由で指示され、処理される。加えるに、またはその代わりに、非接触チップセット・インターフェースは、移動式端末および少なくとも１つの外部装置内部の内部チップセットを備えることができる。非接触チップセット・インターフェースの外部装置は、なるべくなら例えばＮＦＣなどの短距離通信経由で、移動式端末内部の内部チップセットに少なくとも一時的に接続される非接触カード、タグまたは非接触読み取り装置であることが望ましい。
【００１２】
外部装置は、移動式機器システムおよびユーザー識別モジュールの間の通信チャネルの一部としての機能を果たすことができる。この場合、移動式機器システムおよびユーザー識別モジュールからそれぞれ受信される通信信号は、非接触チップセット・インターフェースの内部チップセットで受信され、それぞれ別の装置、すなわちユーザー識別モジュールまたは移動式機器システムに配信される前に、外部装置を通って伝送されることができる。外部装置経由の信号の当該配信またはデータ伝送は、制御とセキュリティ目的の両方またはそのいずれかのために採用されることができる。
【００１３】
外部装置はまた、移動式機器システムおよびユーザー識別モジュールの間の信号伝送のための補足情報を得るために使用されることができる。内部のチップセットで信号を受信次第、内部チップセットは、外部装置から追加情報の要求を出すことができる。この追加情報は、移動式機器システムからユーザー識別モジュールへの、ならびにその逆の伝送のための位置情報または許可情報などの手段情報であることができる。必要とされる追加情報が、外部装置から内部チップセットで受信される場合に限り、内部チップセットで最初受信される信号は、内部チップセットからそれぞれの装置、すなわち移動式機器システムまたはユーザー識別モジュールへ転送される。
【００１４】
外部装置は、追加的にまたは代替的に、移動式端末の内部装置とＰＣ、サーバー、家庭用電子機器またはデータ記憶媒体などの外部データソースとの間の通信またはデータ転送のためのブリッジとしての機能を果たすことができる。この実施形態では、外部装置は、移動式端末内部の配布のための外部データが提供されなくてはならないアクセスまたはエントリー・ポイントに相当する。
【００１５】
移動式機器システムおよび非接触チップセット・インターフェース経由のユーザー識別モジュールの間の通信チャネルは、なるべくなら、通信チャネルと対等であるピア（peer）となるように設定されることが望ましい。ピアのうちいずれか一方によって通信が開始され制御されることができるという点において、ピア・トゥ・ピア通信チャネルは、マスタースレーブ・チャネルに対して有利である。それぞれの装置へのチャネル特性が非接触チップセット・インターフェースの通信によって定義され、非接触チップセット・インターフェースで事前設定されることができるので、ピア・トゥ・ピア・チャネルは、発明の移動式端末において可能である。
【００１６】
ユーザー識別モジュールは、なるべくなら、移動式端末から取り外し可能な物理装置であることが望ましい。移動式機器システムは、移動式端末内部の１つ以上の物理装置とソフトウェア装置の両方またはそのいずれかからなることができる。非接触チップセット・インターフェース、特にその内部のチップセットは、移動式端末内部の１つ以上の物理装置とソフトウェア装置の両方またはそのいずれかであることができる。
【００１７】
さらなる一態様によれば、本発明は、少なくとも１つの移動式機器システムおよび少なくとも１つのユーザー識別モジュールを備える携帯通信ネットワークの移動式端末を操作するための方法に関する。その方法は、非接触チップセット・インターフェースが、信号を受信次第、移動式機器システムと少なくとも１つのユーザー識別モジュールの両方またはそのいずれかに通信チャネルを確立することを特徴とする。
【００１８】
信号は、ユーザー識別モジュール、移動式機器システムのいずれかから、または外部データソースから受信されることができる。後者の場合、信号は、なるべくなら、移動式端末内部の非接触チップセット・インターフェース、すなわち非接触チップセット・インターフェースの外部装置から内部チップセットに送信されることが望ましい。信号は、目的とする受信装置上の情報と同様に送信されるデータを備えることができる。通信チャネルの確立は、なるべくなら、受信装置への非接触チップセット・インターフェースで受信される信号の伝送であることが望ましい。これは、非接触チップセット・インターフェースが、それぞれの受信装置への新たな物理通信接続を確立しないが、信号を受信次第、それぞれの受信装置、すなわち移動式機器システムとユーザー識別モジュールの両方またはそのいずれかへの信号の伝送のための現存する物理通信接続を使用することを意味する。その伝送は、非接触チップセット・インターフェースと移動式機器システムまたはユーザー識別モジュールの間の有線接続経由で実行されることができる。
【００１９】
移動式端末の追加的装置、特にユーザー識別モジュールまたは移動式機器システムに配信されることを目的とする移動式端末の装置、特に移動式機器システムまたはユーザー識別モジュールからの信号は、それぞれの目的とする受信装置への伝送のために非接触チップセット・インターフェースで受信されることができる。この文脈において、目的とするとは、信号がそれぞれの装置にアドレス指定されることを意味する。装置へのアドレス指定は、信号内部で本来備わっているか、または非接触チップセット・インターフェースで、既定されるアドレス指定ルールに従って定められることができる。非接触チップセット・インターフェースからの次の伝送は、信号を受信次第、直ちに始められることができる。この場合、非接触チップセット・インターフェースは、非接触チップセット・インターフェースおよびそれぞれの装置、すなわち移動式機器システムおよびユーザー識別モジュールの間の通信について普及しているプロトコルに従った信号の単なる転送に役立つ。あるいは、信号の追加処理が実行される後までか、追加情報が非接触チップセット・インターフェース、特に内部チップセットで得られる後まで、目的とする受信装置への次の伝送は延期されることができる。当該処理は、制御またはセキュリティ目的のために、非接触チップセット・インターフェースの外部装置への信号の伝送、またはその外部装置からの情報の要求に備えることができる。
【００２０】
一実施形態によれば、非接触チップセット・インターフェースの内部チップセットは、移動式端末のさらなる装置へ配信されることを目的とする移動式端末の少なくとも１つの装置から信号を受信次第、移動式端末の内部チップセットとの短距離通信での非接触チップセット・インターフェースの外部装置の有効性（availability）を検査する。有効性の検査は、信号を発して、外部装置からの応答信号を観察することによって、内部チップセットによって実行されることができる。外部装置の有効性の検査または観察は、内部チップセットで定められるルールおよび手段に起因して開始される可能性があり、内部チップセットにより転送される信号に本来備わっていることができる。
【００２１】
本発明の一実施形態によれば、外部装置を探知し次第、内部チップセットは、外部装置経由で移動式端末内部の装置から受信された信号を指示する。この場合、信号は、外部装置に伝送される可能性があり、内部チップセットに再伝送される。なるべくなら、再伝送は、外部装置での信号の処理後にのみ起こることが望ましい。信号の処理は、外部装置に記憶される手段の準拠の検証を含むことができる。手段が履行されない場合、信号は再伝送されない。
【００２２】
別の実施形態によれば、非接触チップセット・インターフェースで受信される信号の移動式端末内部の目的とする受信装置への伝送は、外部装置から入手可能となる情報に依存している。その情報は、移動式端末のユーザーの現在地または認証に関連する情報を含むことができる。さらに移動式端末内部の通信手段に関する情報は、外部装置から入手可能となる情報であることができる。この場合、例えば、特定のタイプの通信のみが、その手段に従って許可されることができる。
【００２３】
この情報は、外部装置で処理される可能性があり、外部装置から内部チップセットに伝送されることができる。後者の場合、信号の処理は、内部チップセットで実行される。一方、信号の処理は、外部装置で実行される可能性があり、処理結果に応じて、信号は、内部チップセットに再伝送されるか、またはその伝送は終了されることができる。
【００２４】
非接触チップセット・インターフェースは、移動式端末の外部のデータソースに少なくとも一時的に接続されることができる。データソースから、またはデータソースへの検索または配信するために、データソースへの接続は確立されることができる。そのデータソースは、ＰＣ、家庭用電子機器と、例えばインターネット上のサーバーの両方またはそのいずれかであることができる。外部データソースへの通信は、移動式端末から開始されることができる。その通信は、内部チップセット経由で指示される。移動式端末のユーザーが例えば、特定のコンテンツまたはアプリケーションが、例えばインターネット上のサーバーからダウンロードされる場合、ダウンロードの要求は、移動式機器システムから内部チップセットへ伝送されることができる。
その後、信号は、それからデータソースに接続することができる外部装置にさらに伝送される。
【００２５】
あるいは、非接触チップセット・インターフェースの外部装置は、データソースから信号を受信する可能性があり、外部装置と内部チップセットの間の非接触通信チャネル経由で信号を伝送することができる。そこでアプリケーションまたはコンテンツを伝送する信号は、移動式端末、特に移動式機器システムまたはユーザー識別モジュール内部のそれぞれの装置に伝送される。信号またはその一部に割り当てられる経路は、外部データソースから受信される信号内部に示されることができるか、または非接触チップセット・インターフェースの内部チップセットの内部に示されることができる。
【００２６】
さらに別の代替的な実施形態においては、移動式端末にダウンロードされるコンテンツまたはアプリケーションは、あらかじめ外部装置に記憶されることができる。この場合、外部装置は、データソースからのそれぞれのデータまたはアプリケーションを検索するための通信手段と接続されることができる。内部チップセットのある移動式端末のすぐ近くにいったん持ってこられると、外部装置上に記憶されるデータまたはアプリケーションは、内部チップセットに転送される可能性があり、移動式機器システム上に存在するか実行されるかの両方またはそのいずれかであるアプリケーションの一部は、移動式機器システムに伝送される。ユーザー識別モジュール上に記憶されるか、実行されるかの両方またはそのいずれかであるアプリケーションの一部は、ユーザー識別モジュールに伝送される。
【００２７】
外部装置および内部チップセット経由で外部データソースから受信されるアプリケーションまたはコンテンツは、したがって、非接触チップセット・インターフェース経由でユーザー識別モジュールおよび移動式機器システムに配布されることができる。
【００２８】
データソースは、なるべくならＮＦＣ経由で、内部チップセットとの通信接続に少なくとも一時的にある非接触チップセット・インターフェースの外部装置を通って移動式端末になるべくなら入手可能となることが望ましい。
【発明を実施するための最良の形態】
【００２９】
本発明の移動式端末を参照して説明される特徴および利点はまた、本発明方法に適用され、その逆の場合も同じである。
【００３０】
本発明は、添付される図を参照して再度説明される。
図１は、本発明による移動式端末の実施形態の概略図である。
図２は、本発明による移動式端末の別の実施形態の概略図である。
図３は、図２の移動式端末の別の実施形態の概略図である。
【００３１】
図１においては、移動式端末１は、携帯電話として図式的に描かれている。携帯電話１では、処理とメモリーの両方またはそのいずれかを含む移動式機器システム２が備えつけられる。加えるに、ユーザー識別モジュール３、特にＵＩＣＣカードは、移動式端末１の内部に備えつけられる。ＵＩＣＣカード３は、携帯電話１のそれぞれのレセプタクルに挿入されるＳＩＭカードであることができる。最後に、非接触チップセット・インターフェース４が、携帯電話内部に備えつけられる。携帯電話１の描かれた実施形態において、非接触チップセット・インターフェース４は、内部チップセット４１から成る。
【００３２】
内部チップセット４１は、通信チャネル５１、５２経由で移動式機器システム２およびユーザー識別モジュール３に接続される。ユーザー識別モジュール３と移動式機器システム２の間の通信チャネル５は、よって非接触チップセット・インターフェース４経由で指示される。
【００３３】
携帯電話１の機能は、実施例を用いて以下のように説明する。移動式機器システム２およびユーザー識別モジュール３の両方で実行されその両方へのアクセスを必要とするよう作成されるアプリケーションもある。アプリケーションは、移動式機器システム２上で完全に実行される可能性があり、アプリケーションを実行するために必要な入力データのみが、ユーザー識別モジュール３から検索されなくてはならない。ユーザーが当該アプリケーションを自分の携帯電話１に立ち上げる場合、移動式機器システム２は、ユーザー識別モジュール３からのそれぞれの入力データの要求を出す。本発明によれば、その要求は、ユーザー識別モジュール３に直接転送されない。その代わりに、その要求は、非接触チップセット・インターフェース４、特に内部チップセット４１に伝送される。内部チップセット４１から、要求は、要求される入力データの検索のためにユーザー識別モジュール３に伝送される。検索されるデータは、内部チップセット４１経由の移動式機器システム２で入手可能となる。
【００３４】
通信が、移動式機器システム２から開始されるこの実施例で説明されてきたが、代替の実施例において、通信は、その代わりにユーザー識別モジュール３から開始され、移動式機器システム２に指示されることができることは明らかである。信号および要求は、その後は反対方向に、すなわち非接触チップセット４１経由でユーザー識別モジュール３から移動式機器システム２へ、ならびに非接触チップセット４１経由で移動式機器システム２からユーザー識別モジュール３へ指示される。
【００３５】
図２においては、発明の携帯電話の代替の実施形態が示される。
図２で示される実施形態において、短距離通信、特にＮＦＣ経由で内部チップセット４１と通信できる非接触チップセット・インターフェース４の外部装置４２が備えつけられる。この実施形態によって、携帯電話１内部の信号および通信の異なる処理が実現されることができる。移動式機器システム２からの信号がユーザー識別モジュール３に伝送される場合、それは内部チップセット４１で最初に受信される。当該信号は、現在移動式機器システム２または移動式機器システム２からユーザー識別モジュール３への他のどのコールでも実行されるアプリケーションのための入力データの要求のことができる。内部チップセット４１の内部の設定に起因して、あるいはその信号の特徴に起因して、内部チップセット４１は、非接触チップセット・インターフェース４の外部装置４２への接続を確立しようと試みることができる。外部装置４２が利用可能である場合、移動式機器システム２から内部チップセット４１で受信される信号は、外部装置４２に伝送されるか、外部装置４２から特定の情報を検索する要求は、外部装置４２へと出されることができるかのいずれかである。
【００３６】
外部装置４２経由でユーザー識別モジュール３に伝送される信号の経路指定と外部装置４２からの追加情報の検索および受領の両方またはそのいずれかは、制御またはセキュリティ目的で使用されることができる。外部装置４２では、携帯電話１内部の通信決定する手段が、記憶されることができる。例えば、移動式機器システム２からユーザー識別モジュール３、あるいはその逆の特定の信号に対して許される通信タイプは、外部装置４２で事前設定されることができる。さらにまたは代替的に、外部装置から検索される追加情報は、携帯電話１の内部のロケーションベースの特徴を作動させるために使用される。
【００３７】
内部チップセット４１から最初受信される信号または外部装置４２からの追加情報を転送する信号は、その後内部チップセット４１に指示される。内部チップセット４１で最初受信される信号が外部装置４２へ伝送された第一の場合、信号は、なるべくなら外部装置４２で処理されることが望ましい。特に、手段要件への準拠は、外部装置４２で実行されることができる。追加情報の要求のみが内部装置４１から外部装置４２へ出された第二の場合、内部チップセット４１で最初受信される信号の処理は、内部チップセット４１で実行される。内部チップセット４１がＮＦＣ読み取り装置である場合、追加情報の要求は、外部装置４２の機能を果たすタグまたはカードがアクセスすることになることができる。
【００３８】
通信が移動式機器システム２から開始されるこの実施例で再度説明されてきたけれども、代替の実施例において、通信は代わりにユーザー識別モジュール３から開始され、移動式機器システム２に支持されることができることは明らかである。信号および要求は、その後は反対方向に、すなわち非接触チップセット・インターフェース４、特に非接触チップセット４１および外部装置４２経由でユーザー識別モジュール３から移動式機器システム２へ、ならびに非接触チップセット・インターフェース４経由で移動式機器システム２からユーザー識別モジュール３へ指示される。
【００３９】
図３においては、移動式端末の別の実施形態の概略図が示される。この実施形態においては、携帯電話１の装置および設定は、図２に示される実施形態と異ならない。しかしながら、加えるに、データソース６が提供される。ＰＣ、家庭用電子機器と通信ネットワークのサーバーの両方またはそのいずれか、あるいはデータ記憶媒体であることができるデータソース６は、非接触チップセット・インターフェース４の外部装置４２と通信接続している。
【００４０】
図３に示される設定の使用事例を、ここで説明する。ユーザーは、自分の移動式端末１にアプリケーションをダウンロードしたいと思っている。このために、ユーザーは、それぞれのアプリケーションまたはコンテンツが記憶されるデータソース６にアクセスする。このアクセスは、非接触チップセット・インターフェース４経由で実行されることができる。そのアプリケーションは、いわゆる分割アプリケーションであることができ、そこではアプリケーションの一部は、移動式機器システム２上に記憶され、別の部分は、ユーザー識別モジュール３上に記憶される。今までのところこの種のアプリケーションについては、２つのチャネル、すなわちユーザー識別モジュール３への１つのチャネル、ならびに移動式機器システム２への１つのチャネルが、携帯電話１への携帯通信ネットワークのオペレーターによって確立されなくてはならなかった。本発明を用いては、当該ダウンロード処理は、携帯電話１、特に非接触チップセット・インターフェース４とともに１つだけのチャネルを必要とするのみである。データソースからダウンロードされるアプリケーションは、外部装置４２で受信され、それは、そこに記憶さえされることができる。内部チップセット４１のある短距離通信経由で、そのアプリケーションは、外部装置４２から伝送されることができる。内部チップセット４１から、アプリケーションの一部は、移動式機器システム２へ転送され、その他の部分は、ユーザー識別モジュール３に転送される。アプリケーションの一部の配布は、アプリケーション内部に本来備わっていている可能性があり、すなわち携帯電話１内部のアプリケーションの一部を記憶するための目的とする受信装置は、アプリケーション内部で事前設定されることができる。代わりに、非接触チップセット・インターフェース４、特に内部チップセット４１は、内部チップセット４１で既定されるルールに従ってアプリケーションを分割することができる。
【００４１】
本発明を用いて、携帯電話内部の非接触機能は、ユーザー識別モジュール、特にＵＩＣＣと移動式機器システムの間の通信チャネルとしての機能を果たすことができる。通信チャネルは、内部チップセット（ＮＦＣ）とＵＩＣＣの間だけでなく、内部チップセット（ＮＦＣ）と移動式機器システムの間の新しい共通／汎用チャネルであることができる。本発明は、従って、携帯電話などの移動式端末およびＳＩＭなどのユーザー識別モジュールの管理をより容易にすることができる。さらに、外部装置が移動式機器システムおよびＵＩＣＣの両方と移動式端末へのアプリケーション、特に分割アプリケーションのダウンロードおよび展開は、本発明によって容易にされる。移動式機器システムおよびユーザー識別モジュールを越えて作動するアプリケーションは、携帯電話内部の信号の簡易化して改良された管理および制御により本発明によって支持される。その上に、ユーザー識別モジュールをＰＣ、家庭用電子機器と接続することが可能となり、そこで伝送の監視および確保が可能となる。最後に、移動式機器システムからユーザー識別モジュールへまたはその逆の通信が認証に依存しているので、ＤＲＭ（デジタル著作権管理）ソリューションは、本発明によって提供されることができる。特定のタグ、カードまたは読み取り装置が内部チップセットのために存在し、それで通信することができるように要求することによって、当該ＤＲＭは強化されることができる。
【図面の簡単な説明】
【００４２】
【図１】図１は、本発明による移動式端末の実施形態の概略図である。
【図２】図２は、本発明による移動式端末の別の実施形態の概略図である。
【図３】図３は、図２の移動式端末の別の実施形態の概略図である。
【符号の説明】
【００４３】
１  移動式端末（携帯電話）
２  移動式機器システム
３  ユーザー識別モジュール
４  非接触チップセット・インターフェース
５  通信チャネル
６  データソース
４１  内部チップセット
４２  外部装置
５１  通信チャネル
５２  通信チャネル
【図１】
2008252890.tif 000003
【図２】
2008252890.tif 000004
【図３】
2008252890.tif 000005